(57)【特許請求の範囲】
【請求項１】
ディジタル信号に付加された第１の世代情報に応じた暗号化のモードにより、前記ディジタル信号及び前記第１の世代情報を暗号化して暗号化ディジタル信号を生成する暗号化手段と、
前記暗号化のモードを示す暗号化情報と、前記暗号化ディジタル信号とを送出する伝送手段とを備え、
前記第１の世代情報が、
前記ディジタル信号のコピー世代を示す情報であり、
暗号化されていないディジタル信号のコピー世代を示す第２の世代情報に代えて、前記第２の世代情報を拡張して設定される情報であり、
前記第２の世代情報に設けられた世代と、以降のコピーが禁止される世代とが設けられ、
前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報である
ことを特徴とするディジタル信号の伝送装置。
【請求項２】
ディジタル信号に付加された第１の世代情報に応じた暗号化のモードにより、前記ディジタル信号及び前記第１の世代情報を暗号化して暗号化ディジタル信号を生成し、
前記暗号化のモードを示す暗号化情報と前記暗号化ディジタル信号とを送出し、
前記第１の世代情報が、
前記ディジタル信号のコピー世代を示す情報であり、
暗号化されていないディジタル信号のコピー世代を示す第２の世代情報に代えて、前記第２の世代情報を拡張して設定される情報であり、
前記第２の世代情報に設けられた世代と、以降のコピーが禁止される世代とが設けられ、
前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報である
ことを特徴とするディジタル信号の伝送方法。
【請求項３】
記録媒体より暗号化されたディジタル信号を再生する再生手段と、
前記暗号化されたディジタル信号の暗号化を解除する暗号化解除手段と、
前記暗号化解除手段により暗号化が解除されたディジタル信号に付加された第１の世代情報を第２の世代情報に変換する情報変換手段とを備え、
前記第１の世代情報が、
前記暗号化されたディジタル信号のコピー世代を示す情報であり、
暗号化されていないディジタル信号のコピー世代を示す前記第２の世代情報に代えて、前記第２の世代情報を拡張して設定される情報であり、
前記第２の世代情報に設けられた世代と、以降のコピーが禁止される世代とが設けられ、
前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報である
ことを特徴とするディジタル信号の伝送装置。
【請求項４】
記録媒体より暗号化されたディジタル信号を再生し、
前記暗号化されたディジタル信号の暗号化を解除し、
該暗号化が解除されたディジタル信号に付加された第１の世代情報を第２の世代情報に変換し、
前記第１の世代情報が、
前記暗号化されたディジタル信号のコピー世代を示す情報であり、
暗号化されていないディジタル信号のコピー世代を示す前記第２の世代情報に代えて、前記第２の世代情報を拡張して設定される情報であり、
前記第２の世代情報に設けられた世代と、以降のコピーが禁止される世代とが設けられ、
前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報である
ことを特徴とするディジタル信号の伝送方法。
【請求項５】
暗号化されたディジタル信号を記録するディジタル信号の記録媒体であって、
前記ディジタル信号が、
付加された第１の世代情報に応じた暗号化のモードにより暗号化されて、前記暗号化のモードを示す暗号化情報と共に記録され、
前記第１の世代情報が、
前記暗号化されたディジタル信号のコピー世代を示す情報であり、
暗号化されていないディジタル信号のコピー世代を示す前記第２の世代情報に代えて、前記第２の世代情報を拡張して設定される情報であり、
前記第２の世代情報に設けられた世代と、以降のコピーが禁止される世代とが設けられ、
前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報である
ことを特徴とするディジタル信号の記録媒体。
【請求項６】
前記ディジタル信号が、ディジタルビデオ信号である
ことを特徴とする請求項５に記載のディジタル信号の記録媒体。
【発明の詳細な説明】
【０００１】
【発明の属する技術分野】
本発明は、ディジタル信号の伝送装置、ディジタル信号の伝送方法、ディジタル信号の記録媒体に関し、例えばディジタル衛星放送により伝送されたビデオデータを光ディスクに記録する場合に適用することができる。本発明は、暗号化されていないディジタル信号のコピー世代を示す第２の世代情報に対して、これを拡張するように第１の世代情報を定義すると共に、必要に応じてこれらの世代情報を変換することにより、ディジタル信号のコピー世代に応じて暗号化のモードを切り換えるような場合に、このディジタル信号のコピー世代を簡易に管理することができるようにする。
【０００２】
【従来の技術】
従来、ビデオ信号においては、ＣＧＭＳ（Copy Generation Management System ）により違法な複製を制限するようになされている。
【０００３】
すなわちＣＧＭＳは、ビデオ信号のコピー世代を示す情報（以下ＣＧＭＳ情報と呼ぶ）をビデオ信号と共に伝送し、このＣＧＭＳ情報を基準にしてコピーを制限するシステムである。ＣＧＭＳは、アナログ信号によるビデオ信号を対象としてビデオ信号の垂直ブランキング期間でＣＧＭＳ情報を伝送するＣＧＭＳ−Ａと、ディジタル信号によるビデオ信号を対象としたＣＧＭＳ−Ｄとがある。
【０００４】
これらＣＧＭＳ−Ａ及びＣＧＭＳ−Ｄにおいては、何れも２ビットのＣＧＭＳ情報により、図７に示すように、３つのコピー世代が定義され、これによりビデオ信号の世代が何らコピーが制限されない世代（Free）、一世代だけコピーが許される世代（Copy Once ）、コピーが許されない世代（No Copy ）の何れかであることが示されるようになされている。
【０００５】
これらのうち何らコピーが制限されない世代（Free）は、例えばディジタルビデオカメラ等より取得した私的なビデオ信号に設定され、一世代だけコピーが許される世代（Copy Once ）は、例えば再生専用の光ディスク等より得られたビデオ信号であって、著作権者が私的な複製に限ってコピーを認めるようなビデオ信号に設定される。またコピーが許されない世代（No Copy ）は、一世代だけコピーが許される世代（Copy Once ）からの複製物によるビデオ信号、又は再生専用の光ディスク等より得られたビデオ信号であって、著作権者が私的な複製をも禁じるビデオ信号等に設定される。
【０００６】
このようなＣＧＭＳ情報は、例えば業界標準であるＭＰＥＧ（Moving Picture Experts Group）のヘッダに割り当てられて伝送される。
【０００７】
これによりこのようにして伝送されたビデオ信号を記録する記録装置においては、このＣＧＭＳ情報に従って、コピーが許されない世代（No Copy ）のビデオ信号については記録を中止する。また一世代だけコピーが許される世代（Copy Once ）については所望の記録媒体にビデオ信号を記録し、このときＣＧＭＳ情報を更新して以後コピーが許されない世代（No Copy ）であることを記述する。これに対して何らコピーが制限されない世代（Free）については、ＣＧＭＳ情報を更新することなく順次入力されるビデオ信号を記録するようになされていた。
【０００８】
【発明が解決しようとする課題】
ところでこのようなディジタルビデオ信号の伝送においては、暗号化して伝送することが検討されており、さらにこのとき暗号化によるセキュリティーに著作権者の意図を反映するために、ディジタルビデオ信号におけるコピー世代に応じて暗号化のモードを切り換えることが検討されている。
【０００９】
この場合、著作権者が私的な複製をも禁じるようなディジタルビデオ信号については、強固な暗号化が適用されると考えられる。また著作権者が私的な複製だけを許すディジタルビデオ信号については、より緩やかな暗号化が適用されると考えられる。さらにこのような私的な複製だけを許すディジタルビデオ信号のコピーについては、緩やかな暗号化で済むと考えられ、何らコピーが制限されないものについては、暗号化の必要すら無いと考えられる。
【００１０】
従ってこの場合、従来のＣＧＭＳ情報に従って暗号化のモードを設定することにより、著作権者の意図を反映して、簡易にこの種の暗号化のモードを設定できると考えられる。
【００１１】
ところがＣＧＭＳ情報においては、コピーが許されない世代（No Copy ）が、当初よりコピーが許されない世代（No Copy ）であるものか、一世代だけコピーが許される世代（Copy Once ）の複製物であるものか判定することが困難で、結局、何ら暗号化しない場合を含めて暗号化のモードを３段階でしか切り換えることができない。
【００１２】
この場合ＣＧＭＳ情報において未定義のコード「０，１」が１つ存在することにより、この未定義のコードを利用してＣＧＭＳ情報を定義し直すことにより、ＣＧＭＳ情報に従って暗号化のモードを簡易に設定できると考えられる。しかしながらこのようにすると、ＣＧＭＳ情報を利用する従来機器との互換性が維持できなくなる問題がある。
【００１３】
これに対して別途このような４段階による暗号化に対応するように、コピー世代を示す情報を設定する方法も考えられるが、この場合２種類の世代情報を管理することが必要なことにより、その分処理が煩雑化する問題がある。
【００１４】
本発明は以上の点を考慮してなされたもので、ディジタル信号のコピー世代に応じて暗号化のモードを切り換えるような場合に、このディジタル信号のコピー世代を簡易に管理することができるディジタル信号の伝送装置、ディジタル信号の伝送方法、ディジタル信号の記録媒体を提案しようとするものである。
【００１５】
【課題を解決するための手段】
かかる課題を解決するため請求項１又は請求項２の発明においては、ディジタル信号の伝送装置又はディジタル信号の伝送方法に適用して、ディジタル信号に付加された第１の世代情報に応じた暗号化のモードにより、ディジタル信号及び第１の世代情報を暗号化して暗号化ディジタル信号を生成し、暗号化のモードを示す暗号化情報と暗号化ディジタル信号とを送出し、このとき第１の世代情報が、ディジタル信号のコピー世代を示す情報であり、暗号化されていないディジタル信号のコピー世代を示す第２の世代情報に代えて、前記第２の世代情報を拡張して設定される情報であり、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにする。
【００１６】
また請求項３又は請求項４のディジタル信号の伝送装置又はディジタル信号の伝送方法に適用して、記録媒体より暗号化されたディジタル信号を再生し、この暗号化されたディジタル信号の暗号化を解除し、暗号化が解除されたディジタル信号に付加された第１の世代情報を第２の世代情報に変換するようにする。このとき第１の世代情報が、ディジタル信号のコピー世代を示す情報であり、暗号化されていないディジタル信号のコピー世代を示す第２の世代情報に代えて、前記第２の世代情報を拡張して設定される情報であり、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにする。
【００１７】
また請求項５の発明においては、ディジタル信号の記録媒体に適用して、ディジタル信号が、付加された第１の世代情報に応じた暗号化のモードにより暗号化されて、暗号化のモードを示す暗号化情報と共に記録され、第１の世代情報が、ディジタル信号のコピー世代を示す情報であり、暗号化されていないディジタル信号のコピー世代を示す第２の世代情報に代えて、前記第２の世代情報を拡張して設定される情報であり、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにする。
【００１８】
請求項１又は請求項２の構成により、ディジタル信号に付加された第１の世代情報に応じた暗号化のモードにより、ディジタル信号及び第１の世代情報を暗号化して暗号化ディジタル信号を生成して暗号化情報と共に送出し、このとき第１の世代情報が、ディジタル信号のコピー世代を示す情報であり、暗号化されていないディジタル信号のコピー世代を示す第２の世代情報に代えて、前記第２の世代情報を拡張して設定される情報であり、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにすれば、従来からの第２の世代情報と、第１の世代情報とを一元的に管理してコピーの世代を管理でき、また従来機器との互換性を図ることができる。
【００１９】
また請求項３又は請求項４の構成により、記録媒体より暗号化されたディジタル信号を再生する際に、暗号化のモードを示す暗号化情報に従って暗号化を解除し、付加された第１の世代情報を第２の世代情報に変換し、このとき第２の世代情報が、暗号化されていないディジタル信号のコピー世代を示す情報であり、第１の世代情報が、ディジタル信号のコピー世代を示す情報であり、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにすれば、同様に、従来からの第２の世代情報と、第１の世代情報とを一元的に管理してコピーの世代を管理でき、また従来機器との互換性を図ることができる。また必要に応じて第１、第２の世代情報を更新してコピー世代を管理することができる。
【００２０】
また請求項５の構成により、ディジタル信号の記録媒体に適用して、付加された第１の世代情報に応じた暗号化のモードにより暗号化されて、暗号化のモードを示す暗号化情報と共にディジタル信号が記録され、第１の世代情報が、前記第２の世代情報に設けられた世代と、以降のコピーが禁止される世代とが設けられ、前記第２の世代情報に設けられたコピーが禁止される世代に区分される世代を、前記コピーが禁止される世代による当初からコピーが禁止される世代と、前記以降のコピーが禁止される世代によるコピーによってコピーが禁止されることとなった世代とに区分する情報であるようにすれば、同様に、従来からの第２の世代情報と、第１の世代情報とを一元的に管理してコピーの世代を管理でき、また従来機器との互換性を図ることができる。また必要に応じて第１、第２の世代情報を更新してコピー世代を管理することができる。
【００２１】
【発明の実施の形態】
以下、適宜図面を参照しながら本発明の実施の形態を詳述する。
【００２２】
（１）実施の形態の構成
図２は、本発明の実施の形態に係る衛星放送システムを示すブロック図である。この衛星放送システム１においては、放送局２より種々のディジタル放送を衛星３にアップリンクし、この衛星３よりダウンリンクされるディジタル放送を各家庭４において受信する。
【００２３】
ここで放送局２においては、ディジタルビデオ信号、ディジタルオーディオ信号によるトランスポートストリームＴＰ１〜ＴＰＮを多重化装置（ＭＵＸ）５により時分割多重化した後、変調器（ＭＯＤ）６により変調する。さらにこの変調器６より得られる変調信号を同様にして生成される他の変調信号と周波数多重化してアンテナ８よりアップリンクする。
【００２４】
このとき放送局２は、サーバー等より供給されるディジタルビデオ信号及びディジタルオーディオ信号をＭＰＥＧのフォーマットによりトランスポートストリームＴＰ１〜ＴＰＮに変換し、このトランスポートストリームＴＰ１〜ＴＰＮを多重化装置５により時分割多重化する。この実施の形態において、このようにしてトランスポートストリームＴＰ１〜ＴＰＮに変換されるディジタルビデオ信号においては、従来のＣＧＭＳ情報（ＣＧＭＳ−Ｄ）が付加されていることになる。
【００２５】
これに対してトランスポートストリームＴＰ１〜ＴＰＮにおけるＣＧＭＳ情報は、各種記述子のうちのコピープロテクション記述子として、図３に示すように、従来のＣＧＭＳ情報（ＣＧＭＳ−Ｄ）を拡張して定義される。すなわちＣＧＭＳ情報は、２ビットによるコピーコントロールタイプが「０，１」のときに図７について上述したと同様に、従来のＣＧＭＳ情報（ＣＧＭＳ−Ｄ）と同一に定義されたコピー制御情報（DRCD：Digital Recoding Contorol Data）が割り当てられる。なおコピーコントロールタイプは、２ビットにより暗号化の有無を示すフィールドであり、論理「０，１」のとき、このトランスポートストリームの暗号化処理を指示し、論理「１，１」のとき暗号化処理しないことを指示する。
【００２６】
さらにこの実施の形態においては、コピーコントロールタイプが「０，１」の場合、拡張したＣＧＭＳ情報（Ｍ−ＣＧＭＳ）を定義する。ここでこの拡張したＣＧＭＳ情報（Ｍ−ＣＧＭＳ）は、従来からのＣＧＭＳ情報（ＣＧＭＳ−Ｄ）に対応して、何らコピーが制限されない世代（Free）（論理「０，０」）、一世代だけコピーが許される世代（Copy Once ）（論理「１，０」）、コピーが許されない世代（Never Copy）（論理「１，１」）が定義される。
【００２７】
これに加えて拡張したＣＧＭＳ情報（Ｍ−ＣＧＭＳ）は、従来からのＣＧＭＳ情報（ＣＧＭＳ−Ｄ）においては何ら定義されていない論理「０，１」にこれ以降のコピー禁止の世代（No More Copy）が定義されるようになされている。これによりこの実施の形態においては、最初からコピー禁止のもの（１，１）と、一回に限りコピー可能なもの（１，０）が一度コピーされてコピー禁止になったものとを区別することができるようになされている。なおいわゆるタイムシフトによる番組の試聴を可能にするため、ディジタル衛星放送におけるＣＧＭＳ情報（Ｍ−ＣＧＭＳ）は、一般にコピーが許されない世代（Never Copy）（論理「１，１」）以外の世代に設定される。
【００２８】
コピープロテクション記述子においては、コピーコントロールタイプのフィールドに続いて、アナログコピープロテクションのフィールドが形成される。ここでアナログコピープロテクションは、アナログ信号によるビデオ信号の出力を規定するものであり、何らコピーを制限しないコピー可の場合を含めて、４段階によりコピーを制限するようになされている。
【００２９】
すなわちアナログコピープロテクションは、コピー可のコード「０，０」が設定されている場合、何らコピーガードの処理を実行しないでビデオ信号を出力するように規定されているのに対し、タイプ１のコピーガードを示すコード「０，１」が設定されている場合、擬似同期信号及びＡＧＣパルスをビデオ信号に介挿して出力するように規定されている。またタイプ２のコピーガードを示すコード「１，０」が設定されている場合、タイプ１の処理に加えて２連続ラインを反転させ、また分割バーストを挿入してビデオ信号を出力するように規定され、またタイプ３のコピーガードを示すコード「１，１」が設定されている場合、タイプ１の処理に加えて４連続ラインを反転させ、分割バーストを挿入してビデオ信号を出力するように規定される。
【００３０】
なおこの実施の形態において、コピーコントロールタイプは、従来のＣＧＭＳ情報（ＣＧＭＳ−Ｄ）に対応するように、ディジタルビデオ信号及びディジタルオーディオ信号をトランスポートストリームに変換する際に設定され、このコピーコントロールタイプがアナログ信号によりビデオ信号のコピー世代を示すＣＧＭＳ情報（ＣＧＭＳ−Ａ）に対応することになる。
【００３１】
放送局２は、これによりトランスポートストリームＴＰ１〜ＴＰＮを生成する際に、ディジタルビデオ信号に付加された従来のＣＧＭＳ情報（ＣＧＭＳ−Ｄ）を図３に示すフォーマットによる拡張したＣＧＭＳ情報（Ｍ−ＣＧＭＳ）に変換する。さらに放送局２は、このようにして時分割多重化により伝送するトランスポートストリームのうち限定受信（CA:Conditional Access ）の番組については、スクランブラー９を介してこの放送局２で採用された暗号化の手法により暗号化して伝送する。
【００３２】
かくするにつき、このようにして従来のＣＧＭＳ情報（ＣＧＭＳ−Ｄ）を拡張したＣＧＭＳ情報（Ｍ−ＣＧＭＳ）に変換する場合、従来のコピー世代を３段階で管理するＣＧＭＳ情報（ＣＧＭＳ−Ｄ）をコピー世代を４段階で管理する拡張したＣＧＭＳ情報（Ｍ−ＣＧＭＳ）に変換することにより、またＣＧＭＳ情報（ＣＧＭＳ−Ｄ）による３つのコピー世代を示すコードがＣＧＭＳ情報（Ｍ−ＣＧＭＳ）によるコピー世代を示すコードに対応していることにより、放送局２は、単にコピーコントロールタイプのフィールドを更新してＣＧＭＳ情報を変換する。なおこの実施の形態においては、ＣＧＭＳ情報とコンテンツとの枠をハッチングにより囲って暗号化されていることを示す。
【００３３】
かくするにつきこのようなディジタル衛星放送の暗号化においては、コンテンツの著作権に係わらず、課金により試聴を許可するか否かの観点により設定されることになる。これによりこの放送局２においては、放送局独自の暗号化によりＣＧＭＳ情報とコンテンツとを暗号化して伝送し、この暗号化を解除するキーデータ等を別途パケット等により伝送する。
【００３４】
家庭４は、アンテナ１０を介して衛星３よりダウンリンクされる放送波を受信し、この受信波をＩＲＤ（Integrated Receiver Decoder ）１１により処理することにより所望の放送波を受信する。さらに家庭４においては、この受信した放送波による番組について、ディジタルビデオ信号ＤＶ、アナログ信号によるビデオ信号ＡＶを種々の機器に出力する。また家庭４においては、ＩＥＥＥ１３９４のバスＢＵＳを介してこの受信した番組をビットストリームレコーダである光ディスク装置１２で記録再生する。
【００３５】
図１は、このＩＲＤ１１と光ディスク装置１２を示すブロック図である。ＩＲＤ１１において、選局回路２１は、図示しないダウンコンバータを介してアンテナ１０より放送波を受信し、この放送波より所望の放送チャンネルを受信する。さらに選局回路２１は、この受信した放送チャンネルより所望のバケットを選択的に取り込んで時間軸伸張することによりユーザーの選択した番組のトランスポートストリームＴＰを出力する。
【００３６】
デスクランブラー２２は、この選局回路２１より出力されるトランスポートストリームＴＰが暗号化処理されている場合、この暗号化を解除して出力する。
【００３７】
デコーダ（ＤＥＣ）２３は、このデスクランブラー２２より出力されるトランスポートストリームＴＰを処理してディジタルビデオ信号及びディジタルオーディオ信号を生成する。またデコーダ２３は、ディジタル衛星放送に代えてユーザが光ディスク装置１２の試聴を選択した場合、デスクランブラー２２より出力されるトランスポートストリームＴＰに代えて、デスクランブラー２４より出力されるトランスポートストリームＴＰを処理し、これにより光ディスク装置１２により再生されたディジタルビデオ信号、ディジタルオーディオ信号を出力する。
【００３８】
このときデコーダ２３は、図６に示す変換規則に従って、トランスポートストリームに付加された拡張したＣＧＭＳ情報（Ｍ−ＣＧＭＳ）を従来のＣＧＭＳ情報（ＣＧＭＳ−Ｄ）に変換し、ディジタルビデオ信号に付加して出力する。
【００３９】
かくするにつき、デスクランブラー２２より出力されるトランスポートストリームＴＰにおいては、単にディジタル衛星放送の伝送路を介して伝送されただけのものであり、このトランスポートストリームＴＰに付加されたＣＧＭＳ情報（Ｍ−ＣＧＭＳ）は、ディジタルビデオ信号に付加された従来からのＣＧＭＳ情報（ＣＧＭＳ−Ｄ）を対応する拡張したＣＧＭＳ情報（Ｍ−ＣＧＭＳ）に変換して生成されたものである。これによりこの実施の形態において、デコーダ２３は、デスクランブラー２２より出力されるトランスポートストリームＴＰを処理する場合には、単に拡張したＣＧＭＳ情報（Ｍ−ＣＧＭＳ）のコードをそのままの値に保持してフォーマット変換することにより拡張したＣＧＭＳ情報（Ｍ−ＣＧＭＳ）を従来のＣＧＭＳ情報（ＣＧＭＳ−Ｄ）に変換する。
【００４０】
これに対してこの実施の形態においては、デスクランブラー２４より光ディスク装置１２で再生されたトランスポートストリームがデコーダ２３に入力されるようになされており、この場合、このデコーダ２３に入力されるトランスポートストリームにおいては、一世代限りのコピー世代が進行してこれ以降のコピー禁止の世代（No More Copy）が発生することになる。この場合トランスポートストリームＴＰに付加されたＣＧＭＳ情報（Ｍ−ＣＧＭＳ）においては、従来のＣＧＭＳ情報（ＣＧＭＳ−Ｄ）には定義されていない論理「０，１」によるコードが存在することになる。
【００４１】
デコーダ２３においては、これにより拡張されたＣＧＭＳ情報（Ｍ−ＣＧＭＳ）が論理「０，１」の場合、この論理「０，１」によるコードを、従来のＣＧＭＳ情報（ＣＧＭＳ−Ｄ）においてコピーが許されない世代（No Copy ）を示す論理「１，１」によるコードに変換した後、フォーマット変換して従来のＣＧＭＳ情報（ＣＧＭＳ−Ｄ）に変換する。このようにしてデコーダ２３は、デスクランブラー２４よりトランスポートストリームＴＰを入力する場合、デスクランブラー２４で検出される暗号化情報（ＥＭＩ）と、トランスポートストリームＴＰに付加されたＣＧＭＳ情報（Ｍ−ＣＧＭＳ）とを比較する。さらにデコーダ２３は、この比較結果により、暗号化情報（ＥＭＩ）によるコピー世代がＣＧＭＳ情報（Ｍ−ＣＧＭＳ）より進んでいる場合、暗号化情報（ＥＭＩ）によるコピー世代にＣＧＭＳ情報（Ｍ−ＣＧＭＳ）を更新する。
【００４２】
ここで暗号化情報（ＥＭＩ）は、ＩＥＥＥ１３９４における暗号化のモードを指定する情報であり、図４に示すように拡張されたＣＧＭＳ情報（Ｍ−ＣＧＭＳ）との関連により暗号化のモードを規定するようになされている。すなわち暗号化情報（ＥＭＩ）は、論理「０，０」の場合、暗号化しないように指定し、論理「０，１」の場合、最もレベルの低いモードＣによる暗号化を指定する。さらに暗号化情報（ＥＭＩ）は、論理「１，０」の場合、モ−ドＣの次にレベルの高いモードＢによる暗号化を指定し、論理「１，１」の場合、最もレベルの高いモードＡによる暗号化を指定する。
【００４３】
これによりデコーダ２３は、ＣＧＭＳ情報（Ｍ−ＣＧＭＳ）によるコピー世代を更新するコピー情報の構成手段を更新する。
【００４４】
ディジタルアナログ変換回路（Ｄ／Ａ）２５は、デコーダ２３より出力されるディジタルビデオ信号及びディジタルオーディオ信号をディジタルアナログ変換処理し、アナログ信号によるビデオ信号、オーディオ信号を外部機器に出力する。これらの処理において、ディジタルアナログ変換回路（Ｄ／Ａ）２５は、ディジタルビデオ信号に付加されたＣＧＭＳ情報（ＣＧＭＳ−Ｄ）をアナログ信号によるビデオ信号に対応するＣＧＭＳ情報（ＣＧＭＳ−Ａ）に変換した後、ビデオ信号に付加して出力する。
【００４５】
コピーガード回路２６は、このビデオ信号のＣＧＭＳ情報（ＣＧＭＳ−Ａ）、図３について上述したアナログコピープロテクションに従って、ビデオ信号をコピープロテクション処理し、このビデオ信号を外部機器に出力する。
【００４６】
インターフェース（Ｉ／Ｆ）２８は、デコーダ２３より出力されるディジタルビデオ信号及びディジタルオーディオ信号を所定フォーマットにより外部機器に出力する。
【００４７】
スクランブラー３０は、デスクランブラー２２より出力されるトランスポートストリームＴＰを暗号化処理して出力する。このときスクランブラー３０は、トランスポートストリームＴＰに付加されたＣＧＭＳ情報（Ｍ−ＣＧＭＳ）に従って暗号化のモードを示す暗号化情報（ＥＭＩ）を設定し、この暗号化情報（ＥＭＩ）に応じてトランスポートストリームＴＰを暗号化する。
【００４８】
スクランブラー３０は、このようにして暗号化したトランスポートストリームによりパケットを形成し、このパケットのサブコードに暗号化情報（ＥＭＩ）を付加して出力する。
【００４９】
インターフェース（Ｉ／Ｆ）３１は、ＩＥＥＥ１３９４バスＢＵＳの入出力回路を構成し、スクランブラー３０の出力データを外部機器に出力し、また外部機器よりＩＲＤ１１を指定して入力されるデータをデスクランブラー２４に出力する。これによりＩＲＤ１１では、外部機器とＩＥＥＥ１３９４バスＢＵＳにより接続して受信結果等を入出力できるようになされている。
【００５０】
デスクランブラー２４は、スクランブラー３０とは逆に、インターフェース３１より入力される入力データについて、この入力データに付加された暗号化情報（ＥＭＩ）に従って暗号化を解除して出力する。さらにデスクランブラー２４は、この暗号化情報（ＥＭＩ）をデコーダ２３に出力する。
【００５１】
光ディスク装置１２において、インターフェース（Ｉ／Ｆ）４０は、ＩＥＥＥ１３９４バスＢＵＳを介してＩＲＤ１１、他の外部機器と接続され、これらの機器との間で種々のデータを入出力する。これらの処理においてインターフェース（Ｉ／Ｆ）４０は、ＩＥＥＥ１３９４バスＢＵＳを介してＩＲＤ１１より出力されるトランスポートストリームによるパケットを入力し、デスクランブラー４１に出力する。またスクランブラー４２の出力データをＩＲＤ１１に出力する。
【００５２】
デスクランブラー４１は、インターフェース４０の出力データを受け、この出力データであるパケットに付加されたサブコードより暗号化情報（ＥＭＩ）を取得し、この暗号化情報（ＥＭＩ）に従って暗号化を解除する。デスクランブラー４１は、このようにして暗号化を解除したパケットを時間軸伸長し、トランスポートストリームＴＰにより暗号化情報（ＥＭＩ）と共に出力する。
【００５３】
更新回路４３は、暗号化情報（ＥＭＩ）がＣＧＭＳ情報（Ｍ−ＣＧＭＳ）において一世代に限りコピーを許す世代を示す論理「１，０」の場合、この暗号化情報（ＥＭＩ）を論理「０，１」に変換することにより、暗号化情報（ＥＭＩ）についてだけトランスポートストリームＴＰによるディジタルビデオ信号のコピー世代を更新して出力する。
【００５４】
スクランブラー４４は、デスクランブラー４１より出力されるトランスポートストリームＴＰをこの光ディスク装置１２について設定された暗号化の手法により暗号化して出力する。このときスクランブラー４４は、暗号化情報（ＥＭＩ）によりトランスポートストリームＴＰがコピー禁止に対応するモードＣにより伝送されたものの場合、トランスポートストリームＴＰの処理を中止する。これにより光ディスク装置１２では、コピー禁止の世代については、コピーを中止するようになされている。
【００５５】
記録系４５は、このスクランブラー４４の出力データを光ディスク４６の記録に適したフォーマットにより処理した後、暗号化情報（ＥＭＩ）と共に光ディスク４６に記録する。これによりこの実施の形態では、必要に応じて暗号化して伝送されたトランスポートストリームによる受信結果を光ディスク４６に記録できるようになされている。
【００５６】
図５に示すように、再生系４８は、光ディスク４６に光ビームを照射して得られる戻り光を受光して処理することにより、暗号化して光ディスク４６に記録したトランスポートストリームＴＰ、暗号化情報（ＥＭＩ）を再生する。デスクランブラー４９は、この再生系４８で再生されたトランスポートストリームＴＰの暗号化を解除して出力する。
【００５７】
スクランブラー４２は、デスクランブラー４９より出力されるトランスポートストリームＴＰを暗号化処理して出力する。このときスクランブラー４２は、スクランブラー３０と同様に、再生された暗号化情報（ＥＭＩ）に応じてトランスポートストリームを暗号化する。
【００５８】
（２）実施の形態の動作
以上の構成において、ディジタル衛星放送による番組は（図２）、サーバー等を介してＭＰＥＧのフォーマットによるトランスポートストリームＴＰ１〜ＴＰＮにより放送局２に供給され、ここで時分割多重化、周波数多重化されて衛星３にアップリンクされた後、この衛星３よりダウンリンクされて各家庭４に提供される。
【００５９】
このときディジタルビデオ信号においては、コピー世代を示す従来からのＣＧＭＳ情報（ＣＧＭＳ−Ｄ）（図７）が拡張したＣＧＭＳ情報（Ｍ−ＣＧＭＳ）（図３）に変換され、各トランスポートストリームＴＰ１〜ＴＰＮに付加される。このときこれら拡張したＣＧＭＳ情報（Ｍ−ＣＧＭＳ）においては、従来からのＣＧＭＳ情報（ＣＧＭＳ−Ｄ）における３つのコピー世代により余分にコピー世代を示すように形成され、さらに従来からのＣＧＭＳ情報（ＣＧＭＳ−Ｄ）に対応するように設定されていることにより、論理「０，０」による何らコピーが制限されない世代（Free）、論理「１，０」による一世代だけコピーが許される世代（Copy Once ）、論理「１，１」によるコピーが許されない世代（No Copy ）が、それぞれ何ら論理レベルが変更されることなく各トランスポートストリームＴＰ１〜ＴＰＮの記述子に割り当てられて生成される。
【００６０】
このようにして送出される際に限定受信に係る番組においては、対応するトランスポートストリームＴＰ１がスクランブラー９により暗号化処理されて送出される。
【００６１】
これにより従来のＣＧＭＳ情報（ＣＧＭＳ−Ｄ）において論理「１，０」による一世代だけコピーが許される世代（Copy Once ）のディジタルビデオ信号であって、限定受信に係る番組のディジタルビデオ信号においては、トランスポートストリームにおいて、論理「１，０」による拡張されたＣＧＭＳ情報（Ｍ−ＣＧＭＳ）による記述子が付加された後、全体がこのディジタル衛星放送のフォーマットにより暗号化処理されて伝送されることになる。
【００６２】
このようにして送出された各番組は、ＩＲＤ１１（図１及び図５）の選局回路２１において、ユーザーの所望する番組のトランスポートストリームＴＰが復調され、このトランスポートストリームＴＰがデコーダ２３によりディジタルビデオ信号及びディジタルオーディオ信号に変換される。さらにこのディジタルビデオ信号及びディジタルオーディオ信号がディジタルアナログ変換回路によるアナログ信号に変換されて外部機器に送出され、これにより例えばモニタ装置を介して所望する番組を試聴することが可能となる。
【００６３】
このとき各トランスポートストリームＴＰに付加された拡張されたＣＧＭＳ情報（Ｍ−ＣＧＭＳ）は、デコーダ２３においてトランスポートストリームＴＰをディジタルビデオ信号及びディジタルオーディオ信号に変換する際に、放送局２における処理とは逆に、従来のＣＧＭＳ情報（ＣＧＭＳ−Ｄ）に変換される。さらにこの従来のＣＧＭＳ情報（ＣＧＭＳ−Ｄ）がアナログ信号によりビデオ信号のコピー世代を示すＣＧＭＳ情報（ＣＧＭＳ−Ａ）に変換され、このＣＧＭＳ情報（ＣＧＭＳ−Ａ）がこのＩＲＤ１１より出力されるアナログ信号によるビデオ信号に付加される。ＩＲＤ１１においては、さらにこのＣＧＭＳ情報（ＣＧＭＳ−Ａ）に従ってコピーガード回路２６によりコピーガードの処理が実行され、これにより違法なコピーが防止される。
【００６４】
すなわち上述した例による従来のＣＧＭＳ情報（ＣＧＭＳ−Ｄ）において論理「１，０」による一世代だけコピーが許される世代（Copy Once ）のディジタルビデオ信号であって、限定受信に係る番組のディジタルビデオ信号においては、デスクランブラー２２で暗号化が解除された後、論理「１，０」による拡張したＣＧＭＳ情報（Ｍ−ＣＧＭＳ）がデコーダ２３において、論理「１，０」による従来のＣＧＭＳ情報（ＣＧＭＳ−Ｄ）に変換され、このＣＧＭＳ情報（ＣＧＭＳ−Ｄ）がさらに論理「１，０」による従来のＣＧＭＳ情報（ＣＧＭＳ−Ａ）に変換される。これによりこのＣＧＭＳ情報（ＣＧＭＳ−Ａ）に従って、このディジタルビデオ信号は、アナログ信号によるビデオ信号に変換されて出力される。
【００６５】
またＩＲＤ１１においては、このようにしてデコーダ２３により復調されたディジタルビデオ信号及びディジタルオーディオ信号が、インターフェース２８を介して所定フォーマットにより外部機器に出力される。このときディジタルビデオ信号においては、拡張されたＣＧＭＳ情報（Ｍ−ＣＧＭＳ）より変換された従来のＣＧＭＳ情報（ＣＧＭＳ−Ｄ）が付加されて出力される。これにより外部機器においてこのＣＧＭＳ情報（ＣＧＭＳ−Ｄ）に従ってコピー世代を把握してコピーを制限することにより、著作権を有効に保護することが可能となる。
【００６６】
これに対してデスクランブラー２２で復調されたトランスポートストリームＴＰは、インターフェース３１を介してＩＥＥＥ１３９４バスＢＵＳに出力され、このＩＥＥＥ１３９４バスＢＵＳを介して光ディスク装置１２、他の外部機器等に供給される。
【００６７】
このときこのトランスポートストリームＴＰは、拡張されたＣＧＭＳ情報（Ｍ−ＣＧＭＳ）に従って暗号化のモードを示す暗号化情報（ＥＭＩ）が設定され（図４）、この暗号化情報（ＥＭＩ）に応じて暗号化処理される。すなわち上述した例による従来のＣＧＭＳ情報（ＣＧＭＳ−Ｄ）において論理「１，０」による一世代だけコピーが許される世代（Copy Once ）のディジタルビデオ信号であっては、限定受信に係る番組の有無に係わらず、論理「１，０」による暗号化情報（ＥＭＩ）が設定され、この論理「１，０」による暗号化情報（ＥＭＩ）に従ってモードＢの暗号化処理により暗号化されて送出される。
【００６８】
このようにして暗号化されて伝送されたトランスポートストリームＴＰは、デスクランブラー４１において暗号化情報（ＥＭＩ）に従った処理により暗号化が解かれ、続くスクランブラー４４において、光ディスク４６に記録する為の暗号化処理が実行された後、記録系４５により光ディスク４６に記録される。
【００６９】
このときコピーを禁止する論理「１，１」による拡張されたＣＧＭＳ情報（Ｍ−ＣＧＭＳ）が付加されたトランスポートストリームＴＰにおいては、光ディスク４６への記録が中止され、これによりコピー禁止の世代についてはコピーを禁止して著作権の保護が図られる。
【００７０】
さらにこのときトランスポートストリームＴＰは、暗号化情報（ＥＭＩ）が１世代分更新され、この更新された暗号化情報（ＥＭＩ）と共に光ディスク４６に記録される。
【００７１】
すなわち上述の例による論理「１，０」による拡張されたＣＧＭＳ情報（Ｍ−ＣＧＭＳ）が付加されたトランスポートストリームＴＰにおいては、このＣＧＭＳ情報（Ｍ−ＣＧＭＳ）が１世代に限りコピーを許可する世代であることを示すことにより、更新回路４３において、このＣＧＭＳ情報（Ｍ−ＣＧＭＳ）に対応する暗号化情報（ＥＭＩ）が論理「１，０」から続くコピーを禁止する論理「０，１」に更新されて光ディスク４６に記録される。
【００７２】
これに対して光ディスク４６に記録されたトランスポートストリームＴＰにおいては（図５）、再生系４８を介して暗号化されたトランスポートストリームＴＰが再生され、このトランスポートストリームＴＰの暗号化がデスクランブラー４９により解除される。これにより上述の例による従来のＣＧＭＳ情報（ＣＧＭＳ−Ｄ）において論理「１，０」による一世代だけコピーが許される世代（Copy Once ）のディジタルビデオ信号にあっては、論理「１，０」による拡張されたＣＧＭＳ情報（Ｍ−ＣＧＭＳ）が付加された状態で暗号化が解除されてなるトランスポートストリームＴＰにより、論理「０，１」による暗号化情報（ＥＭＩ）と共に、デスクランブラー４９から出力される。
【００７３】
また再生専用の光ディスクが光ディスク４６に装填された場合には、同様にして再生系４８を介して暗号化されたトランスポートストリームＴＰが再生され、このトランスポートストリームＴＰの暗号化がデスクランブラー４９により解除される。これによりこの場合には、１回に限りコピーを許す論理「１，０」又はコピーを許可しない論理「１，１」による拡張されたＣＧＭＳ情報（Ｍ−ＣＧＭＳ）が付加された状態で暗号化が解除されてなるトランスポートストリームＴＰが対応する論理「１，０」又は論理「１，１」による暗号化情報（ＥＭＩ）と共に、デスクランブラー４９から出力される。
【００７４】
このようにして光ディスク４６より再生されたトランスポートストリームＴＰは、スクランブラー４２において、暗号化のモードを示す暗号化情報（ＥＭＩ）に応じて暗号化処理される。さらにインターフェース３１を介してＩＥＥＥ１３９４バスＢＵＳに出力され、これによりこのＩＥＥＥ１３９４バスＢＵＳを介してＩＲＤ１１、他の外部機器等に供給される。
【００７５】
この場合、図１について説明した例による論理「１，０」による拡張されたＣＧＭＳ情報（Ｍ−ＣＧＭＳ）においては、この論理「１，０」によりトランスポートストリームＴＰに付加された状態で、このトランスポートストリームＴＰが論理「０，１」の暗号化情報（ＥＭＩ）に対応するモードＣにより暗号化されて送出されることになる。
【００７６】
このようにしてバスＢＵＳに送出されたトランスポートストリームＴＰは、インターフェース３１を介してデスクランブラー２４に入力され、ここで暗号化が解除され、また暗号化情報（ＥＭＩ）が検出される。さらに続くデコーダ２３において、ディジタルビデオ信号及びディジタルオーディオ信号に変換された後、それぞれディジタルビデオ信号及びディジタルオーディオ信号においてはインターフェース２８を介して外部機器に出力され、またアナログ信号によるビデオ信号及びオーディオ信号がコピーガード回路２６を介して出力される。
【００７７】
このときトランスポートストリームＴＰに付加された拡張されたＣＧＭＳ情報（Ｍ−ＣＧＭＳ）は、デコーダ２３においてディジタルビデオ信号及びディジタルオーディオ信号に変換する際に、暗号化情報（ＥＭＩ）に応じてコピー世代が更新された後、ディジタル信号について規定されたＣＧＭＳ情報（ＣＧＭＳ−Ｄ）に変換される。この変換において、このようにして光ディスク装置１２より伝送されるトランスポートストリームＴＰにおいては、ＣＧＭＳ情報（ＣＧＭＳ−Ｄ）には定義されていない光ディスク４６より再生されて以降のコピーが禁止される世代が含まれることにより、この世代に係る論理「０，１」については、同様に以降のコピーを禁止する論理「１，１」によるＣＧＭＳ情報（ＣＧＭＳ−Ｄ）に変換される。
【００７８】
これによりこのように光ディスク装置１２より出力されるトランスポートストリームについても、ＩＲＤ１１で受信したトランスポートストリームと同様に処理されてディジタルビデオ信号及びディジタルオーディオ信号により、又はアナログ信号によるビデオ信号及びオーディオ信号により外部機器に出力される。
【００７９】
（３）実施の形態の効果
以上の構成によれば、従来からのＣＧＭＳ情報（ＣＧＭＳ−Ｄ）には定義されていないコードを定義して拡張したＣＧＭＳ情報（Ｍ−ＣＧＭＳ）により表現可能なコピー世代を拡張すると共に、必要に応じてこれらの世代情報を変換することにより、ディジタル信号のコピー世代に応じて暗号化のモードを切り換える場合に、このディジタル信号のコピー世代を簡易に管理することができる。
【００８０】
（４）他の実施の形態
なお上述の実施の形態においては、ディジタル衛星放送によりディジタルビデオ信号を伝送する場合には、放送局によるフォーマットにより暗号化する場合について述べたが、本発明はこれに限らず、この場合にも拡張したＣＧＭＳ情報（Ｍ−ＣＧＭＳ）により暗号化のモードを切り換えるようにしてもよい。このようにすれば各種ディジタル衛星放送システムによる暗号化されたトランスポートストリームの処理をＩＲＤ側で一次的に管理することが可能となる。
【００８１】
また上述の実施の形態においては、２ビットによる従来からのＣＧＭＳ情報（ＣＧＭＳ−Ｄ）において未定義のコードを定義するように、拡張したＣＧＭＳ情報（Ｍ−ＣＧＭＳ）を定義する場合について述べたが、本発明はこれに限らず、例えば２ビットによる従来からのＣＧＭＳ情報（ＣＧＭＳ−Ｄ）に対して、３ビットのコードにより拡張したＣＧＭＳ情報（Ｍ−ＣＧＭＳ）を定義するようにしてもよい。このようにすればさらに一段と細かくコピー世代を管理することが可能となる。
【００８２】
さらに上述の実施の形態においては、ディジタル衛星放送システムに適用してトランスポートストリームを光ディスク装置に記録する場合について述べたが、本発明はこれに限らず、例えば磁気テープにトランスポートストリームを記録する場合等に広く適用することができる。
【００８３】
また上述の実施の形態においては、ＩＥＥＥ１３９４によりトランスポートストリームを伝送する場合について述べたが、本発明はこれに限らず、種々のインターフェースによりトランスポートストリームを伝送する場合、光ディスク、磁気テープ、磁気ディスク等の記録媒体によりトランスポートストリームを伝送する場合に広く適用することができる。
【００８４】
また上述の実施の形態においては、世代情報であるＣＧＭＳ情報により暗号化処理を管理してディジタルビデオ信号を伝送する場合について述べたが、本発明は暗号化処理を管理する場合に限らず、これら世代情報によりディジタルビデオ信号を種々に管理する場合に広く適用することができる。
【００８５】
さらに上述の実施の形態においては、トランスポートストリームによりディジタルビデオ信号を伝送する場合について述べたが、本発明はこれに限らず、種々のフォーマットによりディジタルビデオ信号を伝送する場合、さらにディジタルオーディオ信号等、種々のディジタル信号を伝送する場合に広く適用することができる。
【００８６】
【発明の効果】
上述のように本発明によれば、暗号化されていないディジタル信号のコピー世代を示す第２の世代情報に対して、これと拡張するように第１の世代情報を定義すると共に、必要に応じてこれらの世代情報を変換することにより、ディジタル信号のコピー世代に応じて暗号化のモードを切り換えるような場合に、このディジタル信号のコピー世代を簡易に管理することができる。
【図面の簡単な説明】
【図１】本発明の実施の形態に係る衛星放送システムに適用される受信側の構成を示すブロック図である。
【図２】衛星放送システムの全体構成を示すブロック図である。
【図３】トランスポートストリームに付加される記述子を示す図表である。
【図４】暗号化情報を示す図表である。
【図５】図１との対比により再生されたトランスポートストリームの説明に供するブロック図である。
【図６】拡張されたＣＧＭＳ情報を従来のＣＧＭＳ情報に変化する処理の説明に供する図表である。
【図７】従来のＣＧＭＳ情報を示す図表である。
【符号の説明】
１……衛星放送システム、２……放送局、３……衛星、４……家庭、９、２２、３０、４２、４４……スクランブラー、２４、４１、４９……デスクランブラー、４６……光ディスク
【図１】
0004078573.tif 000002
【図２】
0004078573.tif 000003
【図３】
0004078573.tif 000004
【図４】
0004078573.tif 000005
【図５】
0004078573.tif 000006
【図６】
0004078573.tif 000007
【図７】
0004078573.tif 000008